(57)【要約】【課題】アンカーが岩礁に根掛かりした場合でも、アンカーの回収が容易にでき、また海底からアンカーを引き上げた際にはシャンクと爪とが元の状態に復帰していること。更には、船首での身を乗りだして行なう作業を極力少なくして、安全性を向上させたアンカーを提供すること。【解決手段】シャンク体２とシャックル２４の一端とを揺動自在に連結すると共に、シャックル２４の他端と爪本体１１の連結部材１５とを揺動自在に連結する。コイルバネ１０をシャンク体２に挿通して、ナット７をシャンク体２のネジ部に螺合していき、コイルバネ１０の先端を連結部材１５の端面に弾発付勢する。爪１４が根掛かりしてアンカー本体１を引き上げていき、コイルバネ１０に所定以上の力がかかると、コイルバネ１０が曲がり、爪１４が岩礁から容易に離脱する。【選択図】図４
2008049806.tif 000002
【特許請求の範囲】
【請求項１】
一端側にチェーンやロープが接続されるアンカーリンク（３）を備えると共に、他端側にネジ部（６）を備えた棒状のシャンク体（２）と、
左右に爪（１４）をそれぞれ設けた略Ｗ字状の爪本体（１１）と、
先端側にストック（２２）を保持するストック保持部（２１）を有し、基部側を前記爪本体（１１）の中央部に穿孔されているセンターホール（１２）を挿通してナット（２３）にて爪本体（１１）に固定される連結部材（１５）と、
前記シャンク体（２）の他端と一端側が揺動自在に連結され、前記連結部材（１５）の基部側と他端側が揺動自在に連結される連結具（２４）と、
前記シャンク体（２）の一端側から挿入されて前記連結具（２４）を覆うようにして該シャンク体（２）に装着されるコイルバネ（１０）と、
前記シャンク体（２）のネジ部（６）に螺合して前記コイルバネ（１０）を爪本体（１１）側に弾発付勢させるナット（７）と
でアンカー本体（１）を構成していることを特徴とするボート用二爪アンカー。
【請求項２】
把駐力の大きさに応じたバネ力を有するコイルバネ（１０）を前記シャンク体（２）に着脱自在としていることを特徴とする請求項１に記載のボート用二爪アンカー。
【請求項３】
前記連結具（２４）の代わりに、前記シャンク体（２）と連結部材（１５）とをボルト（６２）などの軸棒により揺動自在に連結していることを特徴とする請求項１に記載のボート用二爪アンカー。
【請求項４】
一端側にチェーンやロープが接続されるアンカーリンク（３）を備えると共に、他端側の内周面にネジ部（３０）を設けた円筒状のシャンク体（２）と、
一端側が前記シャンク体（２）内に挿入されて前記ネジ部（３０）に螺着される円筒状の爪連結部（３１）と、
一端側にネジ部（３５）を有して前記シャンク体（２）内に配置されると共に、他端側は前記爪連結部（３１）内に位置するバネ固定棒（３４）と、
左右に爪（１４）をそれぞれ設けた略Ｗ字状の爪本体（１１）と、
先端側にストック（２２）を保持するストック保持部（２１）を有し、基部側を前記爪本体（１１）の中央部に穿孔されているセンターホール（１２）を挿通してナット（２３）にて爪本体（１１）に固定される連結部材（１５）と、
前記バネ固定棒（３４）の他端と一端側が揺動自在に連結され、前記連結部材（１５）の基部側と他端側が揺動自在に連結される連結具（２４）と、
前記バネ固定棒（３４）の外周面側に配置されるコイルバネ（４０）と、
前記バネ固定棒（３４）のネジ部（３５）に螺合し、前記コイルバネ（４０）の先端にて前記爪連結部（３１）の端面を弾発付勢して該爪連結部（３１）の他端の端面を前記ナット（２３）の端面に付勢させるナット（４１）と
でアンカー本体（１）を構成していることを特徴とするボート用二爪アンカー。
【請求項５】
前記ナット（４１）は、前記コイルバネ（４０）のバネ圧の調整用としていることを特徴とする請求項４に記載のボート用二爪アンカー。
【請求項６】
前記連結部材（１５）と爪連結部（３１）とを、所定以上の力が加わった時に切断するピン（５０）にて連結させていることを特徴とする請求項４に記載のボート用二爪アンカー。
【請求項７】
前記ピン（５０）の強度は、該ピン（５０）の材質の強弱にてつけていることを特徴とする請求項６に記載のボート用二爪アンカー。
【請求項８】
前記連結具（２４）の代わりに、前記バネ固定棒（３４）と連結部材（１５）とをボルト（７２）などの軸棒により揺動自在に連結していることを特徴とする請求項４または請求項６に記載のボート用二爪アンカー。
【発明の詳細な説明】
【技術分野】
【０００１】
本発明は、唐人アンカーと呼ばれている左右に略円弧状の爪を持ったボート用二爪アンカーに関するものである。
【背景技術】
【０００２】
従来から多数のボートや漁船等で使用されているボート用二爪アンカーは、その特徴として、比較的海底質を選ばない万能タイプである。しかしながら、その構造上、岩礁地帯などで使用した場合は、アンカー（錨）が根掛かりして回収が不能となることが多く、海の環境上も良くなく、またアンカーを無くした船の安全にも大きな影響を及ぼすこととなる。
【０００３】
一方では、アンカーというものは停泊中や、作業中において脱錨や走錨が起こらないように特に把駐力が高いのが求められている。このように、把駐力を高く求めつつ、一方ではアンカーの回収をも安定して求めているのが現状である。
【０００４】
岩礁地帯などでアンカーが根掛かりしても回収が出来るようにしたものとして、例えば、下記の特許文献１〜３がある。
【０００５】
【特許文献１】特開昭５４−１２６３８９号公報
【特許文献２】特開平１−１８２１８９号公報
【特許文献３】特開平９−２４０５７６号公報
【０００６】
これら特許文献１〜３に記載されているアンカーは、爪にバネ力を付与しておき、海底の岩礁にアンカーの爪が根掛かりしても、アンカーをそのまま引き上げることで、爪が反転して、アンカーの回収が出来るようにしている。
しかしながら、かかるアンカーは、引き上げた後に、爪を再度元に戻す作業が必要となり、船首の先端で体を外に出しながらの作業は、作業自体がやりにくいと同時に、危険を伴う作業でもある。
【０００７】
また、岩礁にてアンカーが根掛かりした場合でも、アンカーの回収を可能とした他の例としては、例えば、下記に示す特許文献４〜６がある。
【０００８】
【特許文献４】特開昭６３−６８４８４号公報
【特許文献５】特開平１−１９０５９７号公報
【特許文献６】特開平３−５８９５３号公報
【０００９】
これら特許文献４〜６に開示されている技術は、アンカーのシャンクの端部に離脱自在とした部材を連結しておき、この部材にロープを接続すると共に、この部材とアンカーの爪の基部側にもロープを接続したものである。
そして、通常は、ロープを引き上げるようになっているが、海底の岩礁に根掛かりした場合は、上記部材をシャンクから切り離して、アンカーの爪の基部からロープを引き上げることで、岩礁からアンカーを回収できるようにしたものである。
【００１０】
しかしながら、かかる特許文献４〜６の場合においても、アンカーを引き上げた後は、部材をアンカーのシャンクに接続する必要があり、この作業は、上記の場合と同様に、船首の先端で体を外に出しながらの作業は、作業自体がやりにくいと同時に、危険を伴う作業でもある。
【発明の開示】
【発明が解決しようとする課題】
【００１１】
本発明は上述の問題点に鑑みて提供したものであって、少なくとも以下の目的を持ったボート用二爪アンカーを提供するものである。
（１）アンカーが岩礁に根掛かりした場合でも、アンカーの回収が容易にできること。
（２）海底からアンカーを引き上げた際にはシャンクと爪とが元の状態に復帰していること。
（３）船首での身を乗りだして行なう作業を極力少なくして、安全性を向上させたアンカーを提供すること。
【課題を解決するための手段】
【００１２】
そこで、本発明の請求項１に記載のボート用二爪アンカーでは、一端側にチェーンやロープが接続されるアンカーリンク３を備えると共に、他端側にネジ部６を備えた棒状のシャンク体２と、
左右に爪１４をそれぞれ設けた略Ｗ字状の爪本体１１と、
先端側にストック２２を保持するストック保持部２１を有し、基部側を前記爪本体１１の中央部に穿孔されているセンターホール１２を挿通してナット２３にて爪本体１１に固定される連結部材１５と、
前記シャンク体２の他端と一端側が揺動自在に連結され、前記連結部材１５の基部側と他端側が揺動自在に連結される連結具２４と、
前記シャンク体２の一端側から挿入されて前記連結具２４を覆うようにして該シャンク体２に装着されるコイルバネ１０と、
前記シャンク体２のネジ部６に螺合して前記コイルバネ１０を爪本体１１側に弾発付勢させるナット７とでアンカー本体１を構成していることを特徴としている。
【００１３】
請求項２に記載のボート用二爪アンカーでは、把駐力の大きさに応じたバネ力を有するコイルバネ１０を前記シャンク体２に着脱自在としていることを特徴としている。
【００１４】
請求項３に記載のボート用二爪アンカーでは、前記連結具２４の代わりに、前記シャンク体２と連結部材１５とをボルト６２などの軸棒により揺動自在に連結していることを特徴としている。
【００１５】
請求項４に記載のボート用二爪アンカーでは、一端側にチェーンやロープが接続されるアンカーリンク３を備えると共に、他端側の内周面にネジ部３０を設けた円筒状のシャンク体２と、
一端側が前記シャンク体２内に挿入されて前記ネジ部３０に螺着される円筒状の爪連結部３１と、
一端側にネジ部３５を有して前記シャンク体２内に配置されると共に、他端側は前記爪連結部３１内に位置するバネ固定棒３４と、
左右に爪１４をそれぞれ設けた略Ｗ字状の爪本体１１と、
先端側にストック２２を保持するストック保持部２１を有し、基部側を前記爪本体１１の中央部に穿孔されているセンターホール１２を挿通してナット２３にて爪本体１１に固定される連結部材１５と、
前記バネ固定棒３４の他端と一端側が揺動自在に連結され、前記連結部材１５の基部側と他端側が揺動自在に連結される連結具２４と、
前記バネ固定棒３４の外周面側に配置されるコイルバネ４０と、
前記バネ固定棒３４のネジ部３５に螺合し、前記コイルバネ４０の先端にて前記爪連結部３１の端面を弾発付勢して該爪連結部３１の他端の端面を前記ナット２３の端面に付勢させるナット４１とでアンカー本体１を構成していることを特徴としている。
【００１６】
請求項５に記載のボート用二爪アンカーでは、前記ナット４１は、前記コイルバネ４０のバネ圧の調整用としていることを特徴としている。
【００１７】
請求項６に記載のボート用二爪アンカーでは、前記連結部材１５と爪連結部３１とを、所定以上の力が加わった時に切断するピン５０にて連結させていることを特徴としている。
【００１８】
請求項７に記載のボート用二爪アンカーでは、前記ピン５０の強度は、該ピン５０の材質の強弱にてつけていることを特徴としている。
【００１９】
請求項８に記載のボート用二爪アンカーでは、前記連結具２４の代わりに、前記バネ固定棒３４と連結部材１５とをボルト７２などの軸棒により揺動自在に連結していることを特徴としている。
【発明の効果】
【００２０】
本発明の請求項１に記載のボート用二爪アンカーによれば、海底の岩礁にアンカー本体１の爪１４が根掛かりした場合、ロープにてアンカー本体１をそのまま引き上げていくと、コイルバネ１０の付勢力以上の力がかかるとコイルバネ１０自体が曲がり、爪１４が岩礁から外れて、アンカー本体１を容易に回収することができる。
また、アンカー本体１を引き上げていく途中で、コイルバネ１０のバネ力によりコイルバネ１０が軸方向に復帰し、爪本体１１もシャンク体２に対して元の状態に自動的に復帰することになる。そのため、従来のようにアンカー本体１を引き上げた後に船首で身を乗りだして爪を元の状態に復帰させるという作業も必要がなく、安全性を一層向上させることができる。
【００２１】
請求項２に記載のボート用二爪アンカーによれば、把駐力の大きさに応じたバネ力を有するコイルバネ１０を前記シャンク体２に着脱自在としているので、バネ力の異なるコイルバネ１０を予め複数用意しておき、船の大きさなどに応じて、所望の把駐力のコイルバネ１０を適宜アンカー本体１に装着することができる
【００２２】
請求項３に記載のボート用二爪アンカーによれば、前記連結具２４の代わりに、前記シャンク体２と連結部材１５とをボルト６２などの軸棒により揺動自在に連結しているので、コイルバネ１０が曲がる場合、該コイルバネ１０の湾曲や復帰の動作を邪魔することがなく、爪本体１１の岩礁からの離脱や、シャンク体２に対して爪本体１１が元の状態に復帰させることができる。
【００２３】
請求項４に記載のボート用二爪アンカーによれば、岩礁４３に根掛かりしたアンカー本体１を引き上げていくと、爪連結部３１のバネ保持部４２にてコイルバネ４０を軸方向の矢印ロの方向に力が加わり、これによりコイルバネ４０は矢印ロの方向に縮められていく（図１２参照）。
このことは、爪本体１１、連結部材１５及びバネ固定棒３４に対して爪連結部３１及びシャンク体２が上方に移動していくものであり、爪連結部３１及びシャンク体２が所定以上引き上げられると、爪連結部３１内に位置して爪本体１１に連結されている連結部材１５、シャックル２４が露出して、爪本体１１が爪連結部３１に対して自由となって揺動自在となる。
よって、バネ固定棒３４の先端に対して自由に揺動自在となった爪本体１１は岩礁４３からの離脱が行なわれ、アンカー本体１をそのまま引き上げることができ、容易にアンカー本体１を回収することができる。
【００２４】
また、岩礁４３から離脱したアンカー本体１を引き上げる途中においては、コイルバネ４０のバネ圧にてバネ固定棒３４に対して爪連結部３１及びシャックル２４を爪本体１１側に付勢する力が働くので、爪連結部３１内にシャックル２４及び連結部材１５の一部を格納していきながら、爪連結部３１の先端面が爪本体１１のナット２３の端面に当接して、爪本体１１が爪連結部３１に対して元に位置に自動的に復帰することになる。
これにより、アンカー本体１が岩礁４３に根掛かりしていて、爪本体１１を爪連結部３１及びシャンク体２に対して自由に揺動自在として岩礁４３から爪本体１１を離脱して、アンカー本体１を引き上げても、爪本体１１は爪連結部３１に対して自動的に元に復帰するので、アンカー本体１を引き上げた後に、元の状態に戻すための作業を全くする必要がない。そのため、船首での身を乗りだしての作業が不要となって、安全性を一層向上させることができる。
【００２５】
請求項５に記載のボート用二爪アンカーによれば、前記ナット４１は、前記コイルバネ４０のバネ圧の調整用としているので、把駐力の大きさに応じたり、また船の大きさに応じて把駐力を調整する場合には、コイルバネ４０のバネ圧を調整するナット４１の位置を調整することで、容易に行なうことができるものである。
【００２６】
請求項６に記載のボート用二爪アンカーによれば、前記連結部材１５と爪連結部３１とを、所定以上の力が加わった時に切断するピン５０にて連結させているので、アンカー本体１が岩礁４３に根掛かりして、アンカー本体１を引き上げていくと、ピン５０の軸方向と直交する方向に力が加わり、この力が所定以上になるとピン５０が切断されることになる。ピン５０が切断されると、爪連結部３１のバネ保持部４２にてコイルバネ４０を軸方向の矢印ロの方向に力が加わり、これによりコイルバネ４０は矢印ロの方向に縮められていく（図２１参照）。
このことは、爪本体１１、連結部材１５及びバネ固定棒３４に対して爪連結部３１及びシャンク体２が上方に移動していくものであり、爪連結部３１及びシャンク体２が所定以上引き上げられると、爪連結部３１内に位置して爪本体１１に連結されている連結部材１５、シャックル２４が露出して、爪本体１１が爪連結部３１に対して自由となって揺動自在となる。
【００２７】
よって、バネ固定棒３４の先端に対して自由に回動自在となった爪本体１１は岩礁４３からの離脱が行なわれ、アンカー本体１をそのまま引き上げることができ、容易にアンカー本体１を回収することができる。
また、岩礁４３から離脱したアンカー本体１を引き上げる途中においては、コイルバネ４０のバネ圧にてバネ固定棒３４に対して爪連結部３１及びシャックル２４を爪本体１１側に付勢する力が働くので、爪連結部３１内にシャックル２４及び連結部材１５の一部を格納していきながら、爪連結部３１の先端面が爪本体１１のナット２３の端面に当接して、爪本体１１が爪連結部３１に対して元に位置に自動的に復帰することになる。
【００２８】
これにより、アンカー本体１が岩礁４３に根掛かりしていて、爪本体１１を爪連結部３１及びシャンク体２に対して自由に回動自在として岩礁４３から爪本体１１を離脱して、アンカー本体１を引き上げても、爪本体１１は爪連結部３１に対して自動的に元に復帰するので、アンカー本体１を引き上げた後に、元の状態に戻すための作業を全くする必要がない。そのため、船首での身を乗りだしての作業が不要となって、安全性を一層向上させることができる。
【００２９】
また、海底が砂地や泥などの場合において、第１、第２の実施形態のようにピン５０を設けていない場合では、コイルバネ１０、４０のバネ力が弱い場合、アンカー本体１の爪１４を海底に根掛かりさせようとしても、爪本体１１がシャンク体２に対して曲がってしまい、爪１４を海底に引っ掛けることができない場合がある。
しかしながら、ピン５０を設けていることで、該ピン５０を切断する力が加わらない以上は、爪本体１１はシャンク体２側に対して曲がらずにアンカー本体１自体の姿勢を維持しているので、アンカー本体１の爪１４を海底に確実に引っ掛けることができる。
【００３０】
請求項７に記載のボート用二爪アンカーによれば、前記ピン５０の強度は、該ピン５０の材質の強弱にてつけているので、把駐力を変える場合には、把駐力に応じた材質のピン５０を用いるだけで、把駐力を適宜容易に変更することができる。
【００３１】
請求項８に記載のボート用二爪アンカーによれば、前記連結具２４の代わりに、前記バネ固定棒３４と連結部材１５とをボルト７２などの軸棒により揺動自在に連結しているので、コイルバネ４０が曲がる場合、該コイルバネ４０の湾曲や復帰の動作を邪魔することがなく、爪本体１１の岩礁からの離脱や、シャンク体２に対して爪本体１１が元の状態に復帰させることができる。
【発明を実施するための最良の形態】
【００３２】
（第１の実施の形態）
以下、本発明の実施の形態を図面（図１〜図５）を参照して詳細に説明する。図１はアンカー本体１の斜視図を示し、図２（ａ）はアンカー本体１の平面図を、図２（ｂ）は正面図を、図３はアンカー本体１の分解斜視図をそれぞれ示している。
【００３３】
図１〜図３において、アンカー本体１の中心軸棒としてのシャンク体２は、円柱状若しくは円筒状（パイプ状）に形成されており、このシャンク体２の一端にはチェーンまたはロープと接続されるアンカーリンク３が形成されている。また、シャンク体２の他端には連結片４が形成されていて、この連結片４に連結用の穴５が穿孔されている。
さらに、シャンク体２の他端側の外周面にはネジ部６が螺刻されていて、このネジ部６にコイルバネ１０の保持用のナット７が螺進自在に装着されている。
【００３４】
略Ｗ字状とした爪本体１１は、中心のセンターホール１２を穿孔しているセンター部１３と、このセンター部１３の両側よりそれぞれ一体に延出形成されている略円弧状の一対の爪１４とで構成されている。
この爪本体１１をシャンク体２側に連結するための連結部材１５は、円筒状または円柱状に形成されており、この連結部材１５の外径は爪本体１１のセンターホール１２の内径より小さく設定されている。
【００３５】
連結部材１５の一端には穴１６を穿孔した連結片１７が一体的に形成されており、連結部材１５の他端側にはネジ部２０が形成されている。また、連結部材１５の他端には該連結部材１５の軸方向と直交する方向に軸方向を有する円筒状のストック保持部２１が一体的に形成されていて、このストック保持部２１に円筒状のストック２２が圧入されることで、該ストック２２がストック保持部２１に強固に保持されるようになっている。
なお、ストック２２はアンカー本体１の爪１４が海底で横転しないようにする棒であり、材料としては木製、金属製、プラスティックなどである。
【００３６】
次に、爪本体１１とシャンク体２との連結方法について説明する。連結部材１５を爪本体１１のセンターホール１２に挿通して、ナット２３を連結部材１５のネジ部２０に螺着することで、連結部材１５が爪本体１１に固定される。
次に、シャックル２４の一端側をシャンク体２の穴５に挿入すると共に、シャックル２４の他端側を連結部材１５の穴５に挿入し、調整部材２５を螺進させることで、シャックル２４の端部同士が連結され、これにより、このシャックル２４にて爪本体１１とシャンク体２とが揺動自在にそれぞれ連結されることになる。
【００３７】
シャックル２４にて爪本体１１とシャンク体２が鎖状に連結された後に、コイルバネ１０をシャンク体２から入れ、さらにナット７をシャンク体２に入れてネジ部６に螺進させていくことで、コイルバネ１０が圧縮される。
このコイルバネ１０のバネ力（復帰力）により該コイルバネ１０の先端が爪本体１１を先端側に弾発付勢し、図２（ａ）に示すように、シャンク体２に対して爪本体１１が直交した状態に保持されることになる。
【００３８】
海底の岩礁にアンカー本体１の爪１４が根掛かりした場合、通常はコイルバネ１０のバネ力が把駐力となって、脱錨や走錨が起こらないようになっている。そして、アンカー本体１を引き上げる場合において、アンカー本体１が根掛かりしている場合でも、ロープをそのまま引き上げていくと、図４及び図５に示すように、コイルバネ１０の付勢力以上の力がかかるとコイルバネ１０自体が曲がり、爪１４が岩礁から外れて、アンカー本体１を容易に回収することができる。
【００３９】
アンカー本体１を引き上げていく途中で、コイルバネ１０のバネ力によりコイルバネ１０が軸方向に復帰し、爪本体１１もシャンク体２に対して図２（ａ）に示すような元の状態に自動的に復帰することになる。
そのため、従来のようにアンカー本体１を引き上げた後に船首で身を乗りだして爪を元の状態に復帰させるという作業も必要がなく、安全性を一層向上させることができる。
【００４０】
なお、本実施形態ではアンカー本体１の把駐力の大小は、コイルバネ１０自体の線径を適宜異ならせることで決めるようになっている。コイルバネ１０の取り外しや装着は、ナット７を外したり、装着することで、容易に行なうことができる。このように、コイルバネ１０をシャンク体２に着脱自在に装着する構成としているので、バネ力の異なるコイルバネ１０を予め複数用意しておき、船の大きさなどに応じて、所望の把駐力のコイルバネ１０を適宜アンカー本体１に装着することができるものである。
【００４１】
（第２の実施の形態）
次に、第２の実施形態を図６〜図１５により説明する。なお、第１の実施形態と同様の機能を発揮する要素には同一の番号を付して説明していく。図６はアンカー本体１の斜視図を、図７はアンカー本体１の平面図をそれぞれ示し、また、図８はアンカー本体１の分解斜視図を、図９はアンカー本体１の断面図をそれぞれ示している。
【００４２】
図８及び図９に示すように、シャンク体２は本実施形態ではパイプ状の物を用いており、アンカーリンク３とは反対側のシャンク体２の内周面にはネジ部３０が螺刻されている。このシャンク体２のネジ部３０に装着される爪連結部３１は円筒状に形成されていて、両端は開口してある。
この連結部材１５の細径部３２の外周面には、上記シャンク体２のネジ部３０と螺合するネジ部３３が螺刻されている。
【００４３】
シャンク体２内に配置されるバネ固定棒３４は、円柱状または円筒状に形成されており、このバネ固定棒３４の一端側の外周面にはネジ部３５が螺刻されている。また、バネ固定棒３４の他端面側にはシャックル２４と揺動自在に連結される穴３６を穿孔した連結片３７が一体的に形成されている。
バネ固定棒３４の外周にはコイルバネ４０が装着されるようになっており、このコイルバネ４０のバネ圧はシャンク体２のネジ部３５に螺進自在に螺着されるナット４１にて行なわれる。つまり、このナット４１がコイルバネ４０のバネ圧の調整用としている。
【００４４】
爪本体１１と連結部材１５とは先の実施形態と同様にして連結保持されるものであり、また、連結部材１５とバネ固定棒３４とは、図９に示すように両者をシャックル２４にて鎖状で揺動自在に連結される。
図９はナット４１をバネ固定棒３４の端部に位置させた状態を示し、図１０はナット４１を螺進させていってバネ固定棒３４のバネ圧を高くした状態を示している。
【００４５】
爪本体１１側の連結部材１５とバネ固定棒３４とをシャックル２４にて鎖状に連結して一連のものに構成し、その状態でバネ固定棒３４を介して連結部材１５を爪本体１１側に装着させる。このとき、爪連結部３１の先端面がナット２３の端面まで位置させる。
次に、バネ固定棒３４にコイルバネ４０を装着すると共に、ナット４１をバネ固定棒３４のネジ部３５に螺合して所望のバネ圧を得る位置まで螺進させていく。この状態でシャンク体２をバネ固定棒３４を被せるようにしてシャンク体２のネジ部３０とバネ固定棒３４のネジ部３３とを螺合していき、シャンク体２の先端面が爪連結部３１の段部の端面に当接する付近まで螺合していく。
【００４６】
図１１はかかる場合の拡大断面図を示し、コイルバネ４０の先端面は爪連結部３１の細径部３２の先端面であるバネ保持部４２に該コイルバネ４０のバネ圧にて圧接して該コイルバネ４０がバネ保持部４２にて保持されている。なお、図１０に示すように、コイルバネ４０はナット４１にて圧縮されていて、このバネ力にて付勢されている爪連結部３１が爪本体１１を付勢している。
これにより爪連結部３１内にシャックル２４、連結部材１５の一部が位置し、爪本体１１がバネ固定棒３４及びシャンク体２に対して直交した状態となっている。
【００４７】
図１２はアンカー本体１が岩礁４３に根掛かりした状態を示しており、アンカー本体１のアンカーリンク３に接続したチェーン４４を介してロープにて図中矢印イに示す方向に引き上げようとしている。アンカー本体１を引き上げていくと、爪連結部３１のバネ保持部４２にてコイルバネ４０を軸方向の矢印ロの方向に力が加わり、これによりコイルバネ４０は矢印ロの方向に縮められていく。
このことは、爪本体１１、連結部材１５及びバネ固定棒３４に対して爪連結部３１及びシャンク体２が上方に移動していくものであり、爪連結部３１及びシャンク体２が所定以上引き上げられると、図１３に示すように、爪連結部３１内に位置して爪本体１１に連結されている連結部材１５、シャックル２４が露出して、爪本体１１が爪連結部３１に対して自由となって揺動自在となる。この場合、爪本体１１側とシャンク体２側とが互いに自由となって、お互いが揺動自在の関係となる。
【００４８】
よって、バネ固定棒３４の先端に対して自由に揺動自在となった爪本体１１は岩礁４３からの離脱が行なわれ、アンカー本体１をそのまま引き上げることができる。なお、図１４は船の位置を動かしてアンカー本体１を引き上げる場合を示しており、所定以上の力でもって引き上げることで、爪本体１１の連結部材１５がバネ固定棒３４に対して自由となって、爪本体１１の爪１４が岩礁４３から離脱するものであり、容易にアンカー本体１を回収することができる。
【００４９】
また、岩礁４３から離脱したアンカー本体１を引き上げる途中においては、図１５に示すように、コイルバネ４０のバネ圧にてバネ固定棒３４に対して爪連結部３１及びシャックル２４を爪本体１１側に付勢する力が働くので、爪連結部３１内にシャックル２４及び連結部材１５の一部を格納していきながら、爪連結部３１の先端面が爪本体１１のナット２３の端面に当接して、爪本体１１が爪連結部３１に対して元に位置に自動的に復帰することになる。
【００５０】
これにより、アンカー本体１が岩礁４３に根掛かりしていて、爪本体１１を爪連結部３１及びシャンク体２に対して自由に揺動自在として岩礁４３から爪本体１１を離脱して、アンカー本体１を引き上げても、爪本体１１は爪連結部３１に対して自動的に元に復帰するので、アンカー本体１を引き上げた後に、元の状態に戻すための作業を全くする必要がない。そのため、船首での身を乗りだしての作業が不要となって、安全性を一層向上させることができる。
【００５１】
なお、把駐力の大きさに応じたり、また船の大きさに応じて把駐力を調整する場合には、コイルバネ４０のバネ圧を調整するナット４１の位置を調整することで、容易に行なうことができるものである。
【００５２】
また、従来では、アンカー本体１が岩礁に根掛かりした場合で、アンカー本体１を岩礁から離脱させることができない場合では、ロープを切断してアンカー本体１を引き上げず、海底に残したままにしておいたが、本発明の第１、第２の実施形態では、すべてアンカー本体１を容易に回収することができるので、海底にアンカー本体１を放棄するということはない。そのため、自然環境を害することもなく、また、新たにアンカー本体１を購入して再度装着する必要もなく、結果としてアンカー本体１を安価に提供することができるものである。
【００５３】
（第３の実施の形態）
次に、第３の実施形態を図１６〜図２４により説明する。なお、本実施形態のアンカー本体１の構成は前記第２の実施形態とほぼ同じであり、所定以上の力（アンカー本体１の引き上げ力）が加わった時に切断されるピンを爪連結部３１に追加したものである。
したがって、この実施形態は第２の実施形態に対してピンを追加した構成のみが異なるものであり、第２の実施形態と同じ機能を発揮する要素には同一の番号を付して詳細な説明は省略し、要旨の部分について詳細に説明していく。
【００５４】
図１６〜図１９に示すように、爪本体１１側の連結部材１５と爪連結部３１とをピン５０にて連結したものであり、爪連結部３１の両側にピン５０を圧入させる穴５１をそれぞれ穿孔している。また、爪連結部３１内に位置する連結部材１５の両側にもピン５０を圧入させる穴５２をそれぞれ穿孔している。
このピン５０は、ある引っ張り力を超えると、爪連結部３１と海底の岩礁によって固定されている爪本体１１の爪１４との間の引っ張り合いで切断されるものであり、その強度は、材質によって強弱をつけるものである。ピン５０の材料としては、合成樹脂製や金属製を用いる。なお、ピン５０の材料を合成樹脂製とした場合、合成樹脂の種類に応じて強度が異なるものを予め複数用意しておくことで、把駐力に応じたアンカー本体１を提供することができる。もちろん、金属製の場合にでも、材料の種類を変えることで、複数種類の強度を持たせたピン５０を用意することができる。
【００５５】
なお、本実施形態では、爪本体１１が爪連結部３１及びシャンク体２に対して自由となるのは、ピン５０が切断された場合であるので、図１９や図２０に示すようにコイルバネ４０のバネ圧を調整するナット４１にて把駐力が決定されるものではない。
しかし、ナット４１の位置を調整することで、コイルバネ４０にバネ圧を付与して爪連結部３１を爪本体１１側に弾発付勢して、爪連結部３１を爪本体１１側に当接させる必要があり、そのため、コイルバネ４０やナット４１は必要である。また、アンカー本体１を引き上げる際に、爪本体１１を爪連結部３１やシャンク体２に対して自動的に元の状態も復帰させるためにもコイルバネ４０及びナット４１は必要である。
【００５６】
図２１はアンカー本体１が岩礁４３に根掛かりした状態を示しており、アンカー本体１のアンカーリンク３に接続したチェーン４４を介してロープにて図中矢印イに示す方向に引き上げようとしている。アンカー本体１を引き上げていくと、ピン５０の軸方向と直交する方向に力が加わり、この力が所定以上になるとピン５０が切断されることになる。
ピン５０が切断されると、爪連結部３１のバネ保持部４２にてコイルバネ４０を軸方向の矢印ロの方向に力が加わり、これによりコイルバネ４０は矢印ロの方向に縮められていく。
【００５７】
このことは、第２の実施形態と同様に、爪本体１１、連結部材１５及びバネ固定棒３４に対して爪連結部３１及びシャンク体２が上方に移動していくものであり、爪連結部３１及びシャンク体２が所定以上引き上げられると、図２２に示すように、爪連結部３１内に位置して爪本体１１に連結されている連結部材１５、シャックル２４が露出して、爪本体１１が爪連結部３１に対して自由となって揺動自在となる。
【００５８】
よって、バネ固定棒３４の先端に対して自由に揺動自在となった爪本体１１は岩礁４３からの離脱が行なわれ、アンカー本体１をそのまま引き上げることができる。なお、図２３は船の位置を動かしてアンカー本体１を引き上げる場合を示しており、所定以上の力でもって引き上げることで、爪本体１１の連結部材１５がバネ固定棒３４に対して自由となって、爪本体１１の爪１４が岩礁４３から離脱するものであり、容易にアンカー本体１を回収することができる。
【００５９】
また、岩礁４３から離脱したアンカー本体１を引き上げる途中においては、図２４に示すように、コイルバネ４０のバネ圧にてバネ固定棒３４に対して爪連結部３１及びシャックル２４を爪本体１１側に付勢する力が働くので、爪連結部３１内にシャックル２４及び連結部材１５の一部を格納していきながら、爪連結部３１の先端面が爪本体１１のナット２３の端面に当接して、爪本体１１が爪連結部３１に対して元に位置に自動的に復帰することになる。
【００６０】
これにより、アンカー本体１が岩礁４３に根掛かりしていて、爪本体１１を爪連結部３１及びシャンク体２に対して自由に揺動自在として岩礁４３から爪本体１１を離脱して、アンカー本体１を引き上げても、爪本体１１は爪連結部３１に対して自動的に元に復帰するので、アンカー本体１を引き上げた後に、元の状態に戻すための作業を全くする必要がない。そのため、船首での身を乗りだしての作業が不要となって、安全性を一層向上させることができる。
【００６１】
また、海底が砂地や泥などの場合において、第１、第２の実施形態のようにピン５０を設けていない場合では、コイルバネ１０、４０のバネ力が弱い場合、アンカー本体１の爪１４を海底に根掛かりさせようとしても、爪本体１１がシャンク体２に対して曲がってしまい、爪１４を海底に引っ掛けることができない場合がある。
しかしながら、本実施形態では、ピン５０を設けていることで、該ピン５０を切断する力が加わらない以上は、爪本体１１はシャンク体２側に対して曲がらずにアンカー本体１自体の姿勢を維持しているので、アンカー本体１の爪１４を海底に確実に引っ掛けることができる。
【００６２】
なお、この実施形態では、ピン５０を切断してアンカー本体１を引き上げるので、第１、第２の実施形態とは異なり、切断したピン５０を海底に放棄することになるが、ピン５０自体は小さなものであり、そのため、アンカー本体１全体を放棄していた従来とは異なり、環境に与える影響は小さいものとなる。
【００６３】
ここで、アンカー本体１を引き上げた後に、新たなピン５０を爪連結部３１と連結部材１５に圧入して、ピン５０により爪連結部３１と連結部材１５とを連結するようにしている。
【００６４】
（第４の実施の形態）
上記第１の実施形態において、爪本体１１の連結部材１５とシャンク体２とはシャックル２４にてそれぞれ揺動自在に連結していたが、連結部材１５とシャンク体２とを連結するのにシャックル２４に限られるものではない。
すなわち、図２５に示すように、シャンク体２の端部の上下より舌片状の連結片６０、６１を一体に突設し、一方の連結片６０にはボルト６２を挿通させる挿通孔６３を穿孔し、他方の連結片６１には該ボルト６２のネジ部と螺合するネジ穴６４を設けている。
【００６５】
また、連結部材１５には上下の連結片６０、６１の間に位置させる接続片６５が一体に形成されており、この接続片６５には長手方向に沿って長穴６６が穿設されている。そして、連結部材１５の接続片６５をシャンク体２の連結片６０、６１の間に配置して、ボルト６２を連結片６０の挿通孔６３、接続片６５の長穴６６に挿通し、さらにボルト６２のネジ部を連結片６１のネジ穴６４に螺合する。
【００６６】
これにより、連結部材１５の接続片６５の長穴６６にボルト６２が挿通し、連結部材１５つまり爪本体１１が長穴６６の長手方向に沿って移動自在となると共に、ボルト６２を軸として連結部材１５（爪本体１１）がシャンク体２に対して揺動自在となる。図２５（ａ）の矢印イが揺動方向を示している。なお、図２５ではコイルバネ１０は図示省略している。
【００６７】
本実施形態において、海底の岩礁にアンカー本体１の爪１４が根掛かりした場合、ロープにてアンカー本体１をそのまま引き上げていくと、コイルバネ１０の付勢力以上の力がかかるとコイルバネ１０自体が曲がると共に、爪本体１１も揺動することで、爪１４が岩礁から外れて、アンカー本体１を容易に回収することができる。
また、アンカー本体１を引き上げていく途中で、コイルバネ１０のバネ力によりコイルバネ１０が軸方向に復帰し、爪本体１１もシャンク体２に対して元の状態に自動的に復帰することになる。そのため、従来のようにアンカー本体１を引き上げた後に船首で身を乗りだして爪を元の状態に復帰させるという作業も必要がなく、安全性を一層向上させることができる。
【００６８】
なお、本実施形態では、シャンク体２側に一対の連結片６０、６１を設け、連結部材１５側に長穴６６を有する接続片６５を設けた場合について説明したが、連結部材１５側に一対の連結片６０、６１を設け、シャンク体２側に長穴６６を有するを接続片６５を設けるようにしても良い。
また、連結部材１５の揺動軸をボルト６２としているが、ボルト６２の代わりにピン状の部材で連結部材１５とシャンク体２とを揺動自在に連結するようにしても良い。
【００６９】
本実施形態では、シャックル２４の代わりに、ボルト６２などの軸棒を軸として連結部材１５を揺動自在に連結しているので、コイルバネ１０が曲がる場合、該コイルバネ１０の湾曲や復帰の動作を邪魔することがなく、爪本体１１の岩礁からの離脱や、シャンク体２に対して爪本体１１が元の状態に復帰させることができる。
【００７０】
（第５の実施の形態）
上記第２、第３の実施形態において、爪本体１１の連結部材１５とバネ固定棒３４とはシャックル２４にてそれぞれ揺動自在に連結していたが、第４の実施形態と同様に連結部材１５とバネ固定棒３４とを連結するのにシャックル２４に限られるものではない。
すなわち、図２６に示すように、バネ固定棒３４の端部の上下より舌片状の連結片７０、７１を一体に突設し、一方の連結片７０にはボルト７２を挿通させる挿通孔７３を穿孔し、他方の連結片７１には該ボルト７２のネジ部と螺合するネジ穴７４を設けている。
【００７１】
また、連結部材１５の構成は第４の実施形態と同様である。連結部材１５の接続片６５を連結片７０、７１の間に配置して、ボルト７２をバネ固定棒３４の連結片７０の挿通孔７３、接続片６５の長穴６６に挿通し、さらにボルト７２のネジ部を連結片７１のネジ穴７４に螺合する。
これにより、連結部材１５の接続片６５の長穴６６にボルト７２が挿通し、連結部材１５つまり爪本体１１が長穴６６の長手方向に沿って移動自在となると共に、ボルト７２を軸として連結部材１５（爪本体１１）がバネ固定棒３４に対して揺動自在となる。図２６（ａ）の矢印イが揺動方向を示している。なお、図２６ではコイルバネ４０は図示省略している。
【００７２】
本実施形態でのバネ固定棒３４に対しての連結部材１５の揺動動作は第４の実施形態と同様なので、説明は省略する。
【００７３】
なお、本実施形態では、バネ固定棒３４側に一対の連結片７０、７１を設け、連結部材１５側に長穴６６を有する接続片６５を設けた場合について説明したが、連結部材１５側に一対の連結片７０、７１を設け、バネ固定棒３４側に長穴６６を有するを接続片６５を設けるようにしても良い。
また、連結部材１５の揺動軸をボルト７２としているが、ボルト７２の代わりにピン状の部材で連結部材１５とバネ固定棒３４とを揺動自在に連結するようにしても良い。
【００７４】
本実施形態では、シャックル２４の代わりに、ボルト７２などの軸棒を軸として連結部材１５を揺動自在に連結しているので、コイルバネ４０が曲がる場合、該コイルバネ４０の湾曲や復帰の動作を邪魔することがなく、爪本体１１の岩礁からの離脱や、シャンク体２に対して爪本体１１が元の状態に復帰させることができる。
【図面の簡単な説明】
【００７５】
【図１】本発明の第１の実施の形態におけるアンカー本体の斜視図である。
【図２】（ａ）（ｂ）は本発明の第１の実施の形態におけるアンカー本体の平面図及び正面図である。
【図３】本発明の第１の実施の形態におけるアンカー本体の分解斜視図である。
【図４】本発明の第１の実施の形態における岩礁に根掛かりしたアンカー本体を引き上げる場合の説明図である。
【図５】本発明の第１の実施の形態における岩礁に根掛かりしたアンカー本体を引き上げる場合の説明図である。
【図６】本発明の第２の実施の形態におけるアンカー本体の斜視図である。
【図７】本発明の第２の実施の形態におけるアンカー本体の平面図である。
【図８】本発明の第２の実施の形態におけるアンカー本体の分解斜視図である。
【図９】本発明の第２の実施の形態におけるアンカー本体の断面図である。
【図１０】本発明の第２の実施の形態におけるアンカー本体の断面図である。
【図１１】本発明の第２の実施の形態における要部拡大断面図である。
【図１２】本発明の第２の実施の形態における岩礁に根掛かりしたアンカー本体を引き上げる場合の説明図である。
【図１３】本発明の第２の実施の形態における岩礁に根掛かりしたアンカー本体を引き上げる場合の説明図である。
【図１４】本発明の第２の実施の形態における岩礁に根掛かりしたアンカー本体を引き上げる場合の説明図である。
【図１５】本発明の第２の実施の形態における岩礁に根掛かりしたアンカー本体を引き上げる場合の説明図である。
【図１６】本発明の第３の実施の形態におけるアンカー本体の斜視図である。
【図１７】本発明の第３の実施の形態におけるアンカー本体の平面図である。
【図１８】本発明の第３の実施の形態におけるアンカー本体の分解斜視図である。
【図１９】本発明の第３の実施の形態におけるアンカー本体の断面図である。
【図２０】本発明の第３の実施の形態におけるアンカー本体の断面図である。
【図２１】本発明の第３の実施の形態における岩礁に根掛かりしたアンカー本体を引き上げる場合の説明図である。
【図２２】本発明の第３の実施の形態における岩礁に根掛かりしたアンカー本体を引き上げる場合の説明図である。
【図２３】本発明の第３の実施の形態における岩礁に根掛かりしたアンカー本体を引き上げる場合の説明図である。
【図２４】本発明の第３の実施の形態における岩礁に根掛かりしたアンカー本体を引き上げる場合の説明図である。
【図２５】（ａ）（ｂ）は本発明の第４の実施の形態における分解平面図及び分解断面図である。
【図２６】（ａ）（ｂ）は本発明の第５の実施の形態における分解平面図及び分解断面図である。
【符号の説明】
【００７６】
１  アンカー本体
３  アンカーリンク
６  ネジ部
７  ナット
１０  コイルバネ
１１  爪本体
１２  センターホール
１４  爪
１５  連結部材
２１  ストック保持部
２２  ストック
２３  ナット
２４  シャックル（連結具）
３０  ネジ部
３１  爪連結部
３４  バネ固定棒
３５  ネジ部
４０  コイルバネ
４１  ナット
５０  ピン
６２  ボルト
７２  ボルト
【図１】
2008049806.tif 000003
【図２】
2008049806.tif 000004
【図３】
2008049806.tif 000005
【図４】
2008049806.tif 000006
【図５】
2008049806.tif 000007
【図６】
2008049806.tif 000008
【図７】
2008049806.tif 000009
【図８】
2008049806.tif 000010
【図９】
2008049806.tif 000011
【図１０】
2008049806.tif 000012
【図１１】
2008049806.tif 000013
【図１２】
2008049806.tif 000014
【図１３】
2008049806.tif 000015
【図１４】
2008049806.tif 000016
【図１５】
2008049806.tif 000017
【図１６】
2008049806.tif 000018
【図１７】
2008049806.tif 000019
【図１８】
2008049806.tif 000020
【図１９】
2008049806.tif 000021
【図２０】
2008049806.tif 000022
【図２１】
2008049806.tif 000023
【図２２】
2008049806.tif 000024
【図２３】
2008049806.tif 000025
【図２４】
2008049806.tif 000026
【図２５】
2008049806.tif 000027
【図２６】
2008049806.tif 000028